(57)【特許請求の範囲】
【請求項１】
複数の横木と、少なくとも２つの支柱組立体とを含む建物の骨組であって、
各横木は、真っ直ぐで、上面と、下面と、長手方向の縁部と、前記長手方向の縁部に隣接し、該縁部と平行な前記上面及び前記下面にそれぞれ形成された２つの取り付け面とを有し、
前記支柱組立体は、互いに平行で、着脱可能に前記横木と係合し、
各支柱組立体は、第１の支柱と第２の支柱とを有し、
前記第１の支柱は、真っ直ぐで、別々に形成された複数の第１取り付け凹所を有し、
各第１取り付け凹所は、内側上面と、前記第１取り付け凹所の内側上面に形成された第１締め付け構造とを有し、前記横木の１つの前記上面の取り付け面に対応し、かつ、前記上面の取り付け面と着脱可能に係合し、
前記第２支柱は前記第１支柱と対称で、前記第１支柱に寄り掛かり、
前記第２支柱は複数の第２取り付け凹所を別々に形成し、各第２取り付け凹所は前記第１取り付け凹所の１つに対応すると共にそれと整列し、
各第２取り付け凹所は、内側下面と、第２締め付け構造とを有し、該第２締め付け構造は、前記第２取り付け凹所の内側下面に形成され、前記横木の１つの前記下面に形成された取り付け面に対応し、かつ、前記下面に形成された取り付け面と着脱可能に係合する、建物の骨組。
【請求項２】
前記第１及び第２の支柱のそれぞれは、Ｌ字状の横断面を有する真っ直ぐな横木である、請求項１に記載の簡易組立式骨組。
【請求項３】
各横木の前記取り付け面は前記横木の上面及び下面にそれぞれ形成された凹凸のある表面であり、
各第１締め付け構造と各第２締め付け構造とは、前記横木の１つの上面及び下面の取り付け面にそれぞれ対応し、着脱可能に係合する、請求項１に記載の簡易組立式骨組。
【請求項４】
各横木の取り付け面は前記横木の上面及び下面にそれぞれ形成された凹凸のある表面であり、
各第１締め付け構造と各第２締め付け構造とは、前記横木の１つの上面及び下面の取り付け面にそれぞれ対応し、かつ、それと着脱可能に係合する、請求項２に記載の簡易組立式骨組。
【請求項５】
各横木は長方形の横断面を有する、請求項２に記載の簡易組立式骨組。
【請求項６】
各横木は２つのコーナーを形成するように前記横木の上面と下面とに、前記横木の長手方向縁部に一体的に形成された厚いタブを有し、
各取り付け凹所の第１締め付け構造は、各横木の上面のコーナーに対応し該コーナーを締め付け、
各第２取り付け凹所の第２締め付け構造は、各横木の下面のコーナーに対応し該コーナーを締め付ける、請求項１に記載の簡易組立式骨組。
【発明の詳細な説明】
【技術分野】
【０００１】
本発明は、建物の骨組、特に簡易組立式骨組に関する。
【背景技術】
【０００２】
種々の骨組構造が建築に盛んに利用されている。例えば、手すり、フェンス、窓の柵、とがり杭等は、様々な目的で建築に一般に使用される骨組構造である。従来の骨組構造の部品を組み立てるのは、いつも容易ではなかった。例えば、図１０は建物のための室内感光を軽減するための従来の窓柵５０を示す。窓柵５０は常に建物の窓の外側に固定され、複数の縦の支柱５２と、複数の横方向の横木５４とを有する。縦の支柱５２は、窓に隣接して建物の外面に取り付けられ、互いに平行である。各縦の支柱５２は複数の取り付け凹所５２２を有する。各取り付け凹所５２２は、別の縦の支柱５２の取り付け凹所５２２の１つに対応する。
【０００３】
各横木５４は真っ直ぐで、１つの接続即部５４２と２つの端部とを有する。接続側部５４２は、対応する縦の支柱５２の取り付け凹所５２２に対応し、その凹所と係合する。
【０００４】
組立の際には、２本の縦支柱５２が、建物の窓の傍の外面に平行に取り付けられ、次に１つの横木５４の接続側部５４２が順次縦の支柱５２の対応する取り付け凹所５２２に、横木５４の一端を続けて縦支柱５２の取り付け凹所５２２に差し込むことにより取り付けられる。
【０００５】
複数の縦支柱５２がより大きい窓に使用されるときは、各横木５４を１つずつ縦支柱５２の取り付け凹所５２２を介して取り付けるのは面倒であり、時間の浪費である。
【０００６】
本発明は、従来の骨組構造の欠陥を緩和または回避するための簡易組立式骨組を提供する。
【発明の開示】
【発明が解決しようとする課題】
【０００７】
本発明の主な目的は、骨組を組み立てをさらに簡便にするための骨組を提供することである。
【課題を解決するための手段】
【０００８】
前記骨組は複数の横木と２本の支柱組立体とを有する。各横木は真っ直ぐな長方形の横木であり、上面と、下面と、２つの取り付け面とを有する。取り付け面は、横木の上面及び下面にそれぞれ形成された凹凸のある表面であってもよい。支柱組立体は互いに平行であり、各支柱組立体は、第１支柱と、該第１支柱にもたれかかった第２支柱とを有する。第１及び第２の支柱とも、内部に別個に形成された複数の取り付け凹所を有する。第１支柱の各取り付け凹所は、第２支柱の１つの取り付け凹所と整列する。第１支柱と第２支柱の取り付け凹所は、第１及び第２の支柱が交互に移動されるとき、それぞれ１つの横木の上面と下面の取り付け面に係合する。
【０００９】
本発明のその他の目的、利点及び新規な特徴は、添付の図面を参照する以下の詳細な説明からより明白になろう。
【発明を実施するための最良の形態】
【００１０】
【実施例１】
【００１１】
図１、２、３を参照するに、本発明に係る骨組は、複数の横木１０と、少なくとも２つの支柱組立体２０とを含む。
【００１２】
各横木１０は真っ直ぐで、長方形の横断面を有し、上面と、下面と、長手方向の縁部と、２つの取り付け面１２とを有する。各取り付け面１２は、前記長手方向の縁部に隣接し、かつその縁部と平行な凹凸のある表面であってもよい。また、各取り付け面１２は、横木１０の上面または下面に形成された突出面であってもよい。本発明の好ましい実施例では、２つの取り付け面１２は、それぞれ横木１０の上面と下面とに形成された凹凸のある表面である。
【００１３】
その上、各取り付け面１２は横断面を有する。横断面は、図３に示す長方形１２か、図４に示す三角形１２Ａか、図５に示す半円形１２Ｂ等である。
【実施例２】
【００１４】
支柱組立体２０は互いに平行である。支柱組立体２０の各々は、第１の支柱２２と第２の支柱２４とを有する。第１の支柱２２は真っ直ぐで、Ｌ字状断面を有してもよく、複数の第１取り付け凹所２２２を有する。さらに図４，５を参照するに、第１取り付け凹所２２２は別々に第１支柱２２に形成され、その各々は内面と、第１締め付け構造２２４、２２４Ａ，２２４Ｂとを有する。
【００１５】
第１締め付け構造２２４，２２４Ａ、２２４Ｂは、第１取り付け凹所２２２の内面に形成され、横木１０の上面上の取り付け面１２に対応し、選択的に、且つ着脱可能に取り付け面１２に係合する。第１締め付け構造２２４、２２４Ａ、２２４Ｂは、第１取り付け面２２２の内面に形成された突起または凹所である。本発明の好ましい実施例においては、第１締め付け構造２２４は、長方形か、三角形か、または半円形の横断面を有し、横木１０の上面上の取り付け面に係合する。
【００１６】
第２支柱２４は第１支柱と対称で、第１支柱に寄り掛かり、複数の第２取り付け凹所２４２を有する。第２取り付け凹所２４２は、第２支柱２４に別々に形成され、各第２凹所は一方の第１取り付け凹所２２２に対応し、それと整列し、内面と第２締め付け構造２４４、２４４Ａ、２４４Ｂとを有する。
【実施例３】
【００１７】
第２締め付け構造２４４、２４４Ａ、２４４Ｂは、第２取り付け凹所２４２の内面に形成され、横木１０の下面に形成された取り付け面１２に対応し、それと着脱可能に、且つ選択的に係合する。第２締め付け構造２４４、２４４Ａ、２４４Ｂは、横木１０の下面の取り付け面１２の横断面と対応する横断面を有し、対応する取り付け面１２と係合する。
【００１８】
図６、７は、本発明に係る簡易組立式骨組が、建物の感光を軽減するため建物の外面で窓の正面に取り付けられている状態を示す。組立ての際には、各支柱２２は窓付近の外面に平行に固定され、次に、第１及び第２の取り付け凹所２２２、２４２が互いに対応するように、人が各支柱組立体２０の第２支柱２４を保持して一方の第１支柱２２に移動可能に寄りかからせる。次に、各横木１０が一方の取り付け凹所２２２、２４２に独立して臨時に置かれる。各横木１０は確実には締め付けられていないかも知れず、臨時に取り付け凹所２２２、２４２に置かれてもまだ動くが、それでも横木１０の上面に形成された取り付け面１２が第１締め付け構造２２４にわずかに掛かっているので、取り付け凹所２２２、２４２から容易には外れない。
【００１９】
さらに、図９を参照するに、横木１０はその上面と下面とに２つのコーナーを形成するように、その長手方向の縁部に、比較的厚いタブ１３が一体的に形成され、前記両コーナーは取り付け面１２Ｄを形成する。したがって、第１締め付け構造２２４Ｄと、第２締め付け構造２４４Ｄとは、横木１０を第１及び第２の取り付け凹所２２２、２４２とに確実に保持するように、それぞれ横木１０の上面及び下面上の取り付け面１２Ｄに対応し、それら取り付け面１２Ｄとともに締め付ける長方形のタブである。
【００２０】
すべての横木１０が順次対応する第１及び第２の取り付け凹所２２２、２４２に取り付けられ、次に、第２支柱２４がわずかに上に移動するとき、それらの横木１０は第１及び第２の締め付け構造２２４、２４４によって締め付けられる。したがって、複数の支柱組立体２０でさえ、骨組みに適用され、複数の横木１０と結合され、すべての横木１０は、支柱組立体２０に容易に組み立てられる。反対に、骨組を分解することも上記の逆の手順により非常に容易で速くできる。
【００２１】
さらに、骨組はまた、窓の正面に取り付けられる前に地面で十分に組み立てることができる。例えば、横木１０は、平行に配置された支柱組立体２０の取り付け凹所２２２、２４２に臨時に取り付けてもよく、また、第１支柱２２と第２支柱２４とが交互に移動された後に支柱組立体２０に固定的に取り付けることもできる。
【００２２】
本発明に係る骨組を、手すりや、とがり杭や、内部の補強コンクリート構造等の他の建築物に使用するときは、第１及び第２の支柱は必ずしもＬ字状の横断面を有する必要はない。図８を参照するに、支柱組立体２０Ａは、独立して長方形の横断面を有する第１組立体２２Ａと、第２支柱組立体２４Ａとを含む。各第１組立体２２Ａは、横木１０で締め付けた後に一方の第２組立体２４Ａに固定的に取り付けても良く、それによって、骨組みは短時間で十分組み立てられる。
【００２３】
本発明の多数の特徴と利点を、構造と機能の詳細と共に上述したが、この開示は例示に過ぎない。細部の変更、特に、発明の原理内での部品の形状、大きさ及び配置に関しては、添付の請求項に記載された用語の広い一般的な意味で示される限度まで変更が可能である。
【図面の簡単な説明】
【００２４】
【図１】本発明に係る骨組の斜視図。
【図２】図１の骨組の異なる視覚で示された他の斜視図。
【図３】図１の骨組の拡大分解斜視図。
【図４】本発明に係る骨組の、横木が支柱組立体で締め付けられた状態を示す第２実施例の作動横断側面図。
【図５】本発明に係る骨組の、横木が支柱組立体で締め付けられた状態を示す第３実施例の作動横断側面図。
【図６】建物の窓柵に使用される、本発明にかかる骨組の作動正面図。
【図７】建物の美化のために使用される本発明に係る骨組みの作動正面図。
【図８】本発明に係る長方形の第１及び第２の支柱を有する骨組の第２実施例の斜視図。
【図９】本発明に係る骨組の第２実施例の拡大分解斜視図。
【図１０】専攻技術に係る従来の骨組の部分斜視図。
【符号の説明】
【００２５】
１０              横木
１２              取り付け面
２０              支柱組立体
２２、２４        支柱
【図１】
0005350704.tif 000002
【図２】
0005350704.tif 000003
【図３】
0005350704.tif 000004
【図４】
0005350704.tif 000005
【図５】
0005350704.tif 000006
【図６】
0005350704.tif 000007
【図７】
0005350704.tif 000008
【図８】
0005350704.tif 000009
【図９】
0005350704.tif 000010
【図１０】
0005350704.tif 000011